(57)【要約】【課題】広告機能を有するコップの封緘を提供する。【解決手段】広告機能を有するコップの封緘は、フィルムからなり、コップ封緘上に、広告情報を印刷している。好ましい実施例中、コップの封緘上に印刷した広告は、更に、特殊な色彩を有し、通常、商標名と相関して、商標を突出させる。もう一つの好ましい実施例中、コップ上の密封フィルムは、容易に刺破できる領域で、ストローが挿入できる。更にもう一つの実施例中、密封カップ用の密封フィルムは、更に、延伸部を有し、封緘を開く。更にもう一つの実施例中、密封フィルムは、延伸部を有し、封緘を開くと、飲料の飲用口となる。【選択図】図１
0003116718.tif 000002
【実用新案登録請求の範囲】
【請求項１】
広告機能を有するコップの封緘であって、
流体を適当に内部に注入する開口を有するコップと、
前記開口上を覆い、封緘蓋を形成して、前記開口を密封し、表面上に、広告パターンを印刷するフィルムと、
からなることを特徴とする広告機能を有するコップの封緘。
【請求項２】
前記フィルム上に印刷した広告は、特殊な色彩を有し、前記色彩は、通常、商標名称と相関し、商標を突出させることを特徴とする請求項１に記載の広告機能を有するコップの封緘。
【請求項３】
前記密封フィルムは、更に、刺破が容易な領域を設け、ストローが挿入できることを特徴とする請求項１に記載の広告機能を有するコップの封緘。
【請求項４】
前記密封フィルムは、更に、延伸部を設け、前記封緘を開くのに用いることを特徴とする請求項１に記載の広告機能を有するコップの封緘。
【請求項５】
前記密封フィルムは、更に、延伸部を設け、前記封緘を引っ張り、飲料の飲用口となることを特徴とする請求項１に記載の広告機能を有するコップの封緘。
【請求項６】
前記密封フィルム上に印刷した広告は、更に、特殊な発光素子を有し、商標を突出させることを特徴とする請求項１に記載の広告機能を有するコップの封緘。
【請求項７】
前記密封フィルム上に印刷した広告は、更に、半透明の発光素子を有し、商標を突出させることを特徴とする請求項１に記載の広告機能を有するコップの封緘。
【請求項８】
前記密封フィルム上に印刷した広告は、更に、発光素子を有し、暗闇でも、商標がはっきりと見え、商標を突出させることを特徴とする請求項１に記載の広告機能を有するコップの封緘。
【請求項９】
前記密封フィルム上に印刷した広告は、更に、製品情報を記載したURLを有することを特徴とする請求項１に記載の広告機能を有するコップの封緘。
【請求項１０】
販売によって、消費者は、本考案の封緘を利用したコップに注目し、広告目的を達成することを特徴とする請求項１に記載の広告機能を有するコップの封緘。
【請求項１１】
更に、前記密封フィルムは、フィルムロールを形成することを特徴とする請求項１に記載の広告機能を有するコップの封緘。
【請求項１２】
更に、前記フィルムロールを、低価格で、各商店やコップ製造商に販売し、広告の効用を増進することを特徴とする請求項１１に記載の広告機能を有するコップの封緘。
【考案の詳細な説明】
【技術分野】
【０００１】
本考案は、コップの封緘に関するものであって、特に、表面に広告を印刷し、商業利益を生む宣伝可能なコップの封緘に関するものである。
【背景技術】
【０００２】
多くの企業が、大量に資金を投入して、テレビ、ラジオ、公共場所の広告等のメディア等により、消費者に向けて、製品の情報を宣伝し、商品の販売を促進している。しかし、新しく、また成熟していない宣伝方法がある。それは、コーヒーショップや飲料店が、あちらこちらにあるので、使い捨てコップの消費量が増えているが、それが、広告宣伝に効果的に生かされておらず、封緘を有する使い捨てコップは、ファーストフード店やチェーン店の飲料店で多く使用されているので、広告宣伝の絶好の機会である。しかし、公知の広告方式とマーケティングは、それを充分に、一種の製品、及び、販促としてとらえていない。
【０００３】
米国特許第２００２０１０８９５９号では、Wandaが、旅行用密封コップを開示し、それは、密封性に優れ、容易に空けることが出来、自動封閉が可能であるものである。Wandaは、この中で、バルブの設計方法を提供し、開口装置を使用しなければ、飲料は、絶対に中から漏れないようになっている。特殊なO型リング構造を採用し、コップは、熱い飲料の付加圧力も承受でき、且つ、激烈な揺動にも、密封装置が、密封を維持する。Wandaは、更に、封緘円盤を開示し、使用者が密封コップを使用する時、封緘の円盤が見えるため、それは、商標とその他の広告情報を印刷する理想箇所である。封緘は、同時に、機械支承の一部分となる。Wandaは、この種の封緘を広告宣伝にしているが、その効果には限りがある。使い捨てコップと比較すると、旅行用密封コップの販売量は限られているからで、広告物件は、旅行用密封コップの購買者に限られる。よって、この旅行用密封コップ上に、広告や商標を印刷するのは、あまり効果的ではない。また、封閉円盤上に広告商標を印刷するのも、コスト面から合理的ではない。よって、これは、効果的な大衆広告の方式であるとは言えない。
【０００４】
もう一つの米国特許第２００３０１３５４０９中で、Romanoが、缶容器を開示し、容器は、一つのイージーオープン蓋を有し、このイージーオープン蓋が、優待券、販促、賞金、或いは、その他の広告に用いられる。この特許中では、イージーオープン蓋は、優待券、或いは、広告キャリアとなっている。缶の蓋は、第一層、第二層、引っ張り素子、からなる。第一層は、缶体の保護ハウジングとなり、飲料、或いは、その他の物品を承容する。第二層は、第一層上に覆蓋され、更に、刻痕を有する。引っ張り素子は、第二層上に連接され、引っ張り素子を第二層から引っ張るのに用いられる。引っ張り素子は、懸賞、優待券、或いは、その他の広告キャリアとなる。しかし、この種の優待券や広告は、容器内に密封されるので、空ける前には見えない。よって、効果的な宣伝効果がなく、優待券に興味がある人達にだけ、購買意欲を与える。
【０００５】
よって、密封コップのメーカーや小売業者は、新しい広告方法を必要としており、使い捨てコップが幅広く使用される優勢を充分に利用することが望まれる。
【特許文献１】米国特許第２００２０１０８９５９号
【特許文献２】米国特許第２００３０１３５４０９号
【考案の開示】
【考案が解決しようとする課題】
【０００６】
本考案は、広告機能を有するコップの封緘を提供し、コップ封緘のフィルム上に、広告を印刷して、商業効果を得ることを目的とする。
【課題を解決するための手段】
【０００７】
上述の目的を達成するため、本考案は、飲料コップを密封する封緘を提供し、コップの開口を密封する密封フィルム表面上に、広告を印刷する。
【考案の効果】
【０００８】
本考案により、好ましい広告効果が得られる。
【考案を実施するための最良の形態】
【０００９】
本考案は、広告機能を有するコップの封緘に関するものであって、コップの開口を密封する密封フィルム表面上に、広告を印刷し、コップの封緘により広告して、商業利益を得る。
【００１０】
図１は、飲料を承装する使い捨てコップ１００を示す図である。コップ１００の上開口は、フィルム１１０により密封される。フィルム１１０上に、広告を印刷して、特定商品、或いは、サービス等の販売促進に用いる。参照１は、広告のサンプルである。
【００１１】
図１によると、本発明は、コップを密封するフィルムを開示し、フィルム上に、広告を印刷する。例えば、密封コップ用のフィルム上に、更に、特殊な色彩を印刷し、通常、商標名称と相関していて、商標を突出させる。
【００１２】
更にもう一つの実施例中、コップ上の密封フィルムは、容易に刺破できる領域で、ストロー等を挿入することが出来る。もう一つの実施例中、コップ上の密封フィルムは、更に、延伸部を有し、封緘を開くのに用いられる。
【００１３】
もう一つの実施例中、コップ上の密封フィルム上は、延伸部を有し、封緘を開いて、飲料の飲用口になる。
【００１４】
もう一つの実施例中、コップ上の密封フィルム上の広告は、特殊な発光素子からなり、商標を突出させる。
【００１５】
もう一つの実施例中、コップ上の密封フィルム上の広告は、半透明の発光素子からなり、商標を突出させる。
【００１６】
もう一つの実施例中、コップ上の密封フィルム上の広告は、発光素子を有し、暗闇中で、商標がはっきりと見え、商標を突出させる。
【００１７】
更に、もう一つの実施例中、コップ上の密封フィルム上の広告上に、商品情報を含むURLを印刷する。
【００１８】
図２で示されるように、一巻きのフィルム１２０は、沢山のフィルム１１０からなる。各フィルム上に、全て、広告が印刷されている。これらの広告は、一つの製品、或いは、サービスに属するか、異なる製品に属してもよい。フィルム巻きは、コップ自動密封機（参考２で示される密封機TE-２００）を利用し、使い捨てコップ１００を自動封装する。更に、特殊な広告効果のために、密封コップ１００用のフィルム１１０は、特殊な色彩を有して、特定の商品、或いは、サービスに相関する特殊な視覚効果を生成する。
【００１９】
上述によると、本考案は、広告促進の目的を達成し、フィルム上に広告を印刷し、広告が印刷されたフィルムを、使い捨てコップに封装して、広告効果を達成する。
【００２０】
図３を参照すると、本考案を広告の一種である商業運営方式に運用し、商業原動力を生成する。フィルムコップ封緘を、快速に、各飲料店、或いは、チェーン店に販売し、商品の広告を広める。運営方式は、まず、工程２００から開始し、工程S２０５で、広告会社が、コップ封緘上に、広告を印刷することに同意する。その後、工程２１０で、広告会社は、広告デザインを提供し、これらのコップ封緘を飲料店に推奨し、工程２１５で、無料か低価格で販売する。これにより、飲料店、或いは、業者がコップを使用する。工程２２０で、広告情報や広告デザインは、コップ封緘上、例えば、コップを密封するフィルムに印刷される。工程２２５で、コップの封緘は、飲料店や業者の名前、商標が印刷されていて、印刷されている広告情報の飲料を、消費者に販売し、これにより、広告情報も、販売ルートにより、様々な場所に広まって、工程２３０で、コップ封緘が、広告伝播を促進する。
【００２１】
図３と上述のように、本考案は、広告を飲料コップの封緘上に印刷し、飲料の販売ルートを通じた広告を達成する。低価格で、広告情報を印刷したコップ封緘を、各商店やコップ製造商に販売し、飲料の販売に伴って、封緘上の広告も更に広まる。
【００２２】
一実施例中、本考案は、大量のコップ封緘上に、各種広告情報を印刷し、密封フィルムをフィルムロールに製造し、その後、それらを低価格で各商店やコップ製造商に販売し、多種の広告を印刷したコップ封緘で、コップを密封し、飲料を販売する。
【００２３】
もう一つの実施例中、本考案は、更に、低価格で、各商店やコップ製造商に、高速自動コップ封装機を販売／リースし、コップは、飲料が市場に出回るのと同時に、上面の広告も、それに伴って、各場所に伝播される。
【００２４】
上述のように、本考案は、広告機能を有するコップの封緘を提供し、コップ封緘のフィルム上に、広告を印刷すると共に、コップ封緘を、低価格で、各商店、及び、コップ製造商に販売し、普及させて、広告商業利益を生む。
【００２５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００２６】
【図１】コップを密封する封緘を示す図である。
【図２】図１で示されるコップを密封する一巻きの広告フィルムを示す図である。
【図３】本考案のコップ封緘販売量を快速に増長させるビジネスモデルのフローチャート図である。
【図４】図１で示される使い捨てコップの封緘上の広告サンプルを示す図である。
【図５】フィルム密封機を示す図である。
【符号の説明】
【００２７】
１００…使い捨てコップ
１１０…フィルム
１２０…一巻きのフィルム
【図１】
0003116718.tif 000003
【図２】
0003116718.tif 000004
【図３】
0003116718.tif 000005
【図４】
0003116718.tif 000006
【図５】
0003116718.tif 000007